(57)【要約】      （修正有）【課題】食品を小分けした状態で収容し、家庭の冷蔵庫等で冷凍保存するために便利とした食品冷凍用小分け容器を提供する。【解決手段】容器本体１Ａ，１Ｂ，１Ｃと蓋体２とから成り、容器本体は、相互に直交するＸ方向とＹ方向に関して、Ｘ方向を長辺３ｘとする長方形の周縁リブ３ｘ，３ｙで囲まれた内側領域に相互に区成された小室４を縦横に配置すると共に、Ｙ方向に隣接する複数の小室４を１組の室ユニットとして、複数の室ユニットをＸ方向に列設しており、蓋体２は、容器本体の周縁リブで囲まれた内側領域を上方から施蓋すると共に、周縁リブの長辺に沿ってＸ方向に摺動自在に結合されたスライド手段を備え、スライド手段を介して、室ユニットに対応する小室４を開閉自在とするように構成されている。【選択図】図１
0003188207.tif 000002
【実用新案登録請求の範囲】
【請求項１】
食品を小分け状態で冷凍する容器であり、容器本体(1)と蓋体(2)とから成り、
前記容器本体(1)は、相互に直交するＸ方向とＹ方向に関して、Ｘ方向を長辺(3x)とする長方形の周縁リブ(3)で囲まれた内側領域に相互に区成された小室(4)を縦横に配置すると共に、Ｙ方向に隣接する複数の小室(4)を１組の室ユニットとして、複数の室ユニットをＸ方向に列設しており、
前記蓋体(2)は、前記容器本体の周縁リブ(3)で囲まれた内側領域を上方から施蓋すると共に、周縁リブ(3)の長辺に沿ってＸ方向に摺動自在に結合されたスライド手段(14)を備え、該スライド手段(14)を介して、前記室ユニットに対応する小室(4)を開閉自在とするように構成されて成ることを特徴とする食品冷凍用小分け容器。
【請求項２】
前記容器本体(1)は、前記内側領域に設けた格子壁(5)により前記小室(4)を区成すると共に、前記周縁リブ(3)を格子壁(5)よりも上方に突出して形成しており、
前記蓋体(2)は、前記格子壁(5)の上方に空間部(10)を形成した状態で前記周縁リブ(3)の内側領域を被う蓋壁(11)を備えており、蓋体(2)により容器本体(1)を施蓋した状態で、全ての小室(4)が前記空間部(10)を介して連通されるように構成して成ることを特徴とする請求項１に記載の食品冷凍用小分け容器。
【請求項３】
前記格子壁(5)の頂部に凹部(9)を形成し、該凹部(9)を介して、Ｙ方向に隣接する小室(4)の相互とＸ方向に隣接する小室(4)の相互を連通させるように構成して成ることを特徴とする請求項２に記載の食品冷凍用小分け容器。
【請求項４】
小室(4)の個数を異ならせた複数種類の容器本体(1A,1B,1C)に対して、同一構成とした蓋体(2)が前記スライド手段(14)を介して摺動自在に結合されて成ることを特徴とする請求項１、２又は３に記載の食品冷凍用小分け容器。
【考案の詳細な説明】
【技術分野】
【０００１】
本考案は、幼児の離乳食等の食品を小分けした状態で収容し、家庭の冷蔵庫等で冷凍保存するために便利とした食品冷凍用小分け容器に関する。
【背景技術】
【０００２】
従来、冷凍用容器に関して、小分けした多数の小室を列設した容器が公知である。
【先行技術文献】
【特許文献】
【０００３】
【特許文献１】特開２００５−３４３５４６号公報
【特許文献１】特開２００４−２１０３６６号公報
【考案の概要】
【考案が解決しようとする課題】
【０００４】
しかしながら、食品冷凍用小分け容器の提供に際しては、小分けした食品を収容する多数の小室が全体として効率良く冷却されることが必要であり、しかも、食品の収容と取出しを効率良く行い得ることが必要であり、この点が重要な課題となる。
【課題を解決するための手段】
【０００５】
本考案は、上記課題を解決した食品冷凍用小分け容器を提供するものであり、その手段として構成したところは、食品を小分け状態で冷凍する容器であり、容器本体と蓋体とから成り、前記容器本体は、相互に直交するＸ方向とＹ方向に関して、Ｘ方向を長辺とする長方形の周縁リブで囲まれた内側領域に相互に区成された小室を縦横に配置すると共に、Ｙ方向に隣接する複数の小室を１組の室ユニットとして、複数の室ユニットをＸ方向に列設しており、前記蓋体は、前記容器本体の周縁リブで囲まれた内側領域を上方から施蓋すると共に、周縁リブの長辺に沿ってＸ方向に摺動自在に結合されたスライド手段を備え、該スライド手段を介して、前記室ユニットに対応する小室を開閉自在とするように構成されて成る点にある。
【０００６】
本考案の好ましい実施形態において、前記容器本体は、前記内側領域に設けた格子壁により前記小室を区成すると共に、前記周縁リブを格子壁よりも上方に突出して形成しており、前記蓋体は、前記格子壁の上方に空間部を形成した状態で前記周縁リブの内側領域を被う蓋壁を備えており、蓋体により容器本体を施蓋した状態で、全ての小室が前記空間部を介して連通されるように構成している。
【０００７】
この際、前記格子壁の頂部に凹部を形成し、該凹部を介して、Ｙ方向に隣接する小室の相互とＸ方向に隣接する小室の相互を連通させるように構成することが好ましい。
【０００８】
本考案の好ましい実施形態は、小室の個数を異ならせた複数種類の容器本体に対して、同一構成とした蓋体が前記スライド手段を介して摺動自在に結合されている。
【考案の効果】
【０００９】
請求項１に記載の本考案によれば、離乳食等の食品を小分け状態で収容し、家庭の冷蔵庫の冷凍室等に保管することにより、好適に冷凍することができる。そして、スライド手段１４を介して蓋体２を摺動させることにより容器本体１を開蓋する場合、最初に第１室ユニットＸ１が開放され、次いで、第２室ユニットＸ２が開放されるというように、各室ユニットに対応する小室４を開放するように構成しているので、予め各室ユニット毎に所望の食品を収容することにより、常に蓋体２を全開しなくても、必要な食品だけを取出すことができ、使い勝手が良い。
【００１０】
請求項２及び請求項３に記載の本考案によれば、施蓋状態で食品を冷凍する際に、蓋壁１１の下側の空間部１０と、格子壁５の凹部９を介して、全ての小室４が連通状態とされているので、容器本体１と蓋体２の間の冷気が全体にわたり好適に均一化され、これにより冷却冷凍の効率を向上することができる。
【００１１】
請求項４に記載の本考案によれば、小室４の個数を異ならせた複数種類の容器本体１Ａ、１Ｂ、１Ｃに対して、施蓋する蓋体２は、同一構成とされているので、低コスト生産により、安価に提供することができる。しかも、容器本体１の小室４は、個数の相違に応じて容積が大小異なるので、ユーザにおいても、蓋付きの複数種類の容器本体を同時に保有することにより、離乳食のように種類によって食用量が異なる食品を冷凍保管することが極めて便利となる。
【図面の簡単な説明】
【００１２】
【図１】本考案の実施形態に関し、１つの蓋体と、小室の個数を異ならせた３種類の容器本体を分解状態で示す斜視図である。
【図２】本考案の１実施形態に関し、容器本体を蓋体で施蓋した状態を示す斜視図である。
【図３】本考案の１実施形態に関し、蓋体を摺動することにより第１の室ユニットを開放した状態を示す斜視図である。
【図４】本考案の１実施形態の断面に関して、図５のＣ−Ｃ線断面図である。
【図５】本考案の１実施形態の断面に関して、（Ａ）は図２のＡ−Ａ線断面図、（Ｂ）は図５（Ａ）のＢ−Ｂ線断面図、（Ｃ）は図５（Ｂ）のＰ２部の拡大図、（Ｄ）は図４のＰ１部の拡大図である。
【考案を実施するための形態】
【００１３】
以下図面に基づいて本考案の好ましい実施形態を詳述する。
【００１４】
図面に示すように、食品冷凍用小分け容器（以下単に「容器」という。）は、それぞれ合成樹脂により一体成形された容器本体１と蓋体２により構成されている。尚、容器本体１及び蓋体２は、透明又は半透明に形成することができる。
【００１５】
容器本体１は、相互に直交するＸ方向とＹ方向に関して、Ｘ方向を長辺３ｘ、Ｙ方向を短辺３ｙとする長方形の周縁リブ３により囲まれた内側領域を形成し、該内側領域に相互に区成された小室４を縦横に配置しており、Ｙ方向に隣接する複数の小室４を１組の室ユニットとして、複数の室ユニットをＸ方向に列設している。
【００１６】
図例の場合、図１に示すように、３種類の容器本体１Ａ、１Ｂ、１Ｃが提供され、第１種類の容器本体１Ａは、Ｙ方向に隣接する２つの小室４により１組の室ユニットを構成し、Ｘ方向に第１室ユニットＸ１と第２室ユニットＸ２を列設している。
【００１７】
これに対して、第２種類の容器本体１Ｂは、Ｙ方向に隣接する２つの小室４により１組の室ユニットを構成し、Ｘ方向に第１室ユニットＸ１と第２室ユニットＸ２と第３室ユニットＸ３を列設している。
【００１８】
更に、第３種類の容器本体１Ｂは、Ｙ方向に隣接する２つの小室４により１組の室ユニットを構成し、Ｘ方向に第１室ユニットＸ１と第２室ユニットＸ２と第３室ユニットＸ３と第４室ユニットＸ４を列設している。
【００１９】
このように容器本体１に設けられる小室４の個数は任意に設計できるが、上記の３種類の容器本体１Ａ、１Ｂ、１Ｃは、小室の個数が異なる他は、同一サイズかつ同一構成とされており、図示のような同一に構成された蓋体が全ての容器本体１に対して摺動自在に結合されるように構成している。
【００２０】
以下、図２ないし図５に基づいて、前記の第３種類の容器本体１Ｃと蓋体２の具体的構成を詳述するが、全ての種類の容器本体は、小室の個数以外は同一構成とされているので、容器本体１と総称することにより説明する。
【００２１】
容器本体１は、前記内側領域にＸ方向とＹ方向に延びる格子壁５を形成し、該格子壁５により前記小室４を縦横に区成し、図５（Ｃ）に符号Ｈで示すように前記周縁リブ３を格子壁５よりも上方に突出するように形成しており、該周縁リブ３は、下向きに折返された周壁６を備えている。尚、Ｙ方向の両端部に位置して、周縁リブ３と周壁６を外側に張出形成することにより、把手６ａが設けられている。
【００２２】
前記小室４のそれぞれは、格子壁５から下向きに底壁７を膨出させることにより形成されており、縦横に隣り合う小室４の底壁７が相互に接しないように空隙８を形成している。更に、前記格子壁５の頂部には凹部９が形成されており、該凹部９を介して、Ｙ方向に隣接する小室４、４の相互とＸ方向に隣接する小室４、４の相互を連通させるように構成している。
【００２３】
これに対して、蓋体２は、前記格子壁５の上方に空間部１０を形成した状態で前記周縁リブ３の内側領域を被う蓋壁１１を備え、該蓋壁１１の外周縁に前記周縁リブ３の上方に向けて隆起する断面を倒立Ｕ形とした額縁状リブ１２を周設している。図５（Ｃ）に示すように、額縁状リブ１２は、容器本体１の周縁リブ３の長辺３ｘと重なる位置にフラップ１３を垂設し、該フラップ１３の下端縁を内側に折曲することにより、前記長辺３ｘの下端縁に摺動自在に結合されるスライド手段１４を形成している。
【００２４】
前記フラップ１３は、外側表面に多数の滑り止め突起を設けており、図５（Ｃ）（Ｄ）に示すように、フラップ１３の内側表面と前記周壁６の外側表面の相互に係止突起と係止凹部から成る係止手段１５を設け、蓋体２の額縁状リブ１２が容器本体１の周縁リブ３に重なるように蓋体２を施蓋位置に摺動したとき、前記係止手段１５が係止するように構成している。
【００２５】
上記構成によれば、図２に示すように容器本体１を蓋体２により施蓋した状態から、ユーザが指先で蓋体２をＸ方向に押圧すると、蓋体２は、前記係止手段１５の係止が解除され、スライド手段１４を介して摺動するので、容器本体１を開蓋することができる。
【００２６】
これにより、ユーザは、開蓋された容器本体１の小室４に食品を小分け状態で収容することができる。例えば、本考案の容器は、幼児の育児に際して、離乳食を少量ずつ与えるために、少量の離乳食を小分け状態で冷凍保存するために使用される。
【００２７】
食品の収容後は、蓋体２を摺動することにより容器本体１を施蓋し、施蓋状態の容器を家庭の冷蔵庫の冷凍室等に保管し、収容された食品を冷凍させることができる。この際、複数の容器を積層することが可能であり、上層容器の容器本体１の底壁７が下層容器の蓋体２の額縁状リブ１２の内側に納まるように構成されている。
【００２８】
冷凍に際して、容器本体１の小分けされた小室４は、相互に底壁７の間に空隙が形成されているので、底壁７を全周から好適に冷却される。従って、冷却冷凍の効率が良い。
【００２９】
特に、施蓋状態において、蓋壁１１の下側の空間部１０と、格子壁５の凹部９を介して、全ての小室４が連通状態とされているので、容器本体１と蓋体２の間の冷気が全体にわたり好適に均一化され、これにより冷却冷凍の効率を向上する。
【００３０】
冷凍後、離乳食を幼児に与える際には、図３に示すように、ユーザが指先で蓋体２を押圧すると、蓋体２は、係止手段１５の係止が解除され、スライド手段１４を介して摺動し、第１室ユニットＸ１を開放するので、該第１室ユニットＸ１の小室４から食品を取出し、解凍後に食用に供すれば良い。スライド手段１４を介して蓋体２を摺動させる場合、最初に第１室ユニットＸ１が開放され、次いで、第２室ユニットＸ２が開放されるというように、各室ユニットに対応する小室４が開放されるので、予め各室ユニット毎に所望の食品を収容することにより、常に蓋体２を全開しなくても、必要な食品を取出すことができ、使い勝手が良い。つまり、最初に必要になる食品を第１室ユニットＸ１の小室４に収容し、次に必要になる食品を第２室ユニットＸ２に収容するというように、順序に従って食品を収容しておけば、最初の場合は、第１室ユニットＸ１だけを開放して食品を取出した後、直ちに施蓋して再び冷蔵庫に保管することができるため便利である。
【００３１】
そして、上述のように小室４の個数を異ならせた複数種類の容器本体１Ａ、１Ｂ、１Ｃに対して、施蓋する蓋体２は、同一構成とされているので、低コスト生産により、安価に提供することができる。しかも、容器本体１の小室４は、個数の相違に応じて容積が大小異なるので、ユーザにおいても、蓋付きの複数種類の容器本体を同時に保有することにより、離乳食のように種類によって食用量が異なる食品を冷凍保管することが極めて便利となる。
【符号の説明】
【００３２】
１  容器本体
２  蓋体
３  周縁リブ
３ｘ  長辺
３ｙ  短辺
４  小室
５  格子壁
６  周壁
６ａ  把手
７  底壁
８  空隙
９  凹部
１０  空間部
１１  蓋壁
１２  額縁状リブ
１３  フラップ
１４  スライド手段
１５  係止手段
【図１】
0003188207.tif 000003
【図２】
0003188207.tif 000004
【図３】
0003188207.tif 000005
【図４】
0003188207.tif 000006
【図５】
0003188207.tif 000007